(57)【要約】【課題】電磁波シールド層を作製する際、基材上に形成されたメッシュ状レジスト層またはメッシュ状導電層の交差部分の形状を略直角かつ対称に形成することができるインキ版、表示装置用フィルタ、フィルタ付表示装置、および感光体ドラムを提供する。【解決手段】本発明によるインキ版２０は、電磁波シールド層１２を作製するために、基材１１上にメッシュ状レジスト層１６またはメッシュ状導電層１７をインキを用いた印刷により形成するものである。インキ版２０の表面に、互いに交差するとともに、メッシュ状部２１を形成する多数の帯状体２２Ａ、２２Ｂが設けられている。また帯状体２２Ａ、２２Ｂが交差する交差部分２３の形状は、対応するメッシュ状レジスト層１６またはメッシュ状導電層１７の交差部分１８の形状に比べて補正により小面積となっている。【選択図】図１
2009049299.tif 000002
【特許請求の範囲】
【請求項１】
電磁波シールド層を作製するために、基材上にメッシュ状レジスト層またはメッシュ状導電層をインキを用いた印刷により形成するインキ版において、
インキ版表面に、互いに交差するとともに、メッシュ状部を形成する多数の帯状体が設けられ、
帯状体が交差する交差部分の形状は、対応するメッシュ状レジスト層またはメッシュ状導電層の交差部分の形状に比べて補正により小面積となっていることを特徴とするインキ版。
【請求項２】
帯状体の線幅は、帯状体の交差部分に向けて徐々に細くなり、これにより帯状体の交差部分の形状は、対応するメッシュ状レジスト層またはメッシュ状導電層の交差部分の形状に比べて小面積となっていることを特徴とする請求項１に記載のインキ版。
【請求項３】
帯状体の交差部分の形状は、基材の進行方向の後方側の方が前方側と比して大きな補正量となっていることを特徴とする請求項１または２に記載のインキ版。
【請求項４】
インキ版は、グラビア印刷版からなることを特徴とする請求項１乃至３に記載のインキ版。
【請求項５】
インキ版は、フレキソ印刷版からなることを特徴とする請求項１乃至３に記載のインキ版。
【請求項６】
インキ版は、オフセット印刷版からなることを特徴とする請求項１乃至３に記載のインキ版。
【請求項７】
インキ版は、スクリーン印刷版からなることを特徴とする請求項１乃至３に記載のインキ版。
【請求項８】
透明基材と、
透明基材上に設けられ、請求項１乃至７のいずれかに記載のインキ版を用いて作製された電磁波シールド層と、を含むことを特徴とする表示装置用フィルタ。
【請求項９】
電磁波シールド層を作製するために、表面に帯電トナーを付着させ、この帯電トナーを基材上に転写することにより基材上にメッシュ状レジスト層またはメッシュ状導電層を形成する感光体ドラムにおいて、
感光体ドラム表面に静電気像が形成され、この静電気像は互いに交差するとともに、メッシュ状部を形成する多数の帯状体からなり、
帯状体が交差する交差部分の形状は、対応するメッシュ状レジスト層またはメッシュ状導電層の交差部分の形状に比べて補正により小面積となっていることを特徴とする感光体ドラム。
【請求項１０】
透明基材と、
透明基材上に設けられ、請求項９に記載の感光体ドラムを用いて作製された電磁波シールド層と、を含むことを特徴とする表示装置用フィルタ。
【請求項１１】
請求項８または１０に記載の表示装置用フィルタを含むことを特徴とするフィルタ付表示装置。
【発明の詳細な説明】
【技術分野】
【０００１】
本発明は、電磁波シールド層を作製する際に用いられ、基材上にメッシュ状レジスト層またはメッシュ状導電層をインキを用いた印刷により形成するためのインキ版に係り、とりわけ基材上に形成されたメッシュ状レジスト層またはメッシュ状導電層の交差部分の形状を略直角かつ対称に形成することができるインキ版に関する。また本発明は、このようなインキ版を用いて作製された電磁波シールド層を含む表示装置用フィルタ、および表示装置用フィルタを含むフィルタ付表示装置に関する。さらに本発明は、電磁波シールド層を作製するために、表面に帯電トナーを付着させ、この帯電トナーを基材上に転写することにより基材上にメッシュ状レジスト層またはメッシュ状導電層を形成する感光体ドラム、このような感光体ドラムを用いて作製された電磁波シールド層を含む表示装置用フィルタ、および表示装置用フィルタを含むフィルタ付表示装置に関する。
【背景技術】
【０００２】
近年、各種の映像表示装置が、種々の分野で利用されている。そして、このような各種映像表示装置から発生される電磁波による、電子機器や身体等への電磁気的なノイズ妨害（Electro Magnetic Interference; EMI）が問題となっている。例えば、プラズマディスプレイパネル（ＰＤＰ）は、データ電極と蛍光層を有するガラス板と透明電極を有するガラス板との組合体であり、作動すると電磁波が大量に発生する。このため、プラズマディスプレイパネルの前面には、メッシュ状（格子状）に形成された導電体を含む電磁波シールド材が配置される。そして、この電磁波シールド材によって、映像表示装置から発生する電磁波を遮蔽するようになっている。
【０００３】
このような電磁波シールド材の製造方法として、導電性インキを基材上に直接印刷するダイレクト印刷方式や基材上に設けられた金属箔をエッチングするエッチング方式などが存在する。
【０００４】
このうち導電性インキのダイレクト印刷方式は、導電性インキにより透明基材上にメッシュ状の導電性メッシュ層を直接印刷し、これにより電磁波シールド材を作製する方法である。
【０００５】
一方、金属箔のエッチング方式では、まず透明基材上に金属箔を積層し、この金属箔上にフォトレジスト層を均一に形成する。次に、マスクを用いて所定のメッシュパターンを露光し、フォトレジスト層の未露光部を現像して、所定のメッシュ状レジスト層を形成する。次いで、フォトレジスト層以外の部分に対応する金属箔をエッチングした後、金属箔上のメッシュ状レジスト層を除去する。このようにして透明基材上に金属箔メッシュ（メッシュ状導電層）からなる電磁波シールド層を形成することができる。
【０００６】
あるいは、まず透明基材上に金属箔を積層し、この金属箔上に所定のメッシュ状レジスト層を印刷により形成する。次に、メッシュ状レジスト層以外の部分に対応する金属箔をエッチングした後、金属箔上のメッシュ状レジスト層を除去することにより、透明基材上に金属箔メッシュ（メッシュ状導電層）からなる電磁波シールド層を形成することができる。
【０００７】
このほか、電磁波シールド材の製造方法として、電子写真印刷法（静電記録印刷法）を用いるものも知られている（例えば特許文献１参照）。
【特許文献１】特開２００３−２５８４８５号公報
【特許文献２】特開２００３−２５８４８６号公報
【発明の開示】
【発明が解決しようとする課題】
【０００８】
ところで、上述したように基材上にメッシュ状レジスト層またはメッシュ状導電層をインキを用いて印刷する場合、グラビア印刷、フレキソ印刷、オフセット印刷、またはスクリーン印刷等の印刷方法が用いられる。この場合、基材上に所定のパターンを印刷した後、インキが乾燥するまでの間にインキが基材上を流動する。このため、基材上に形成されるメッシュ状レジスト層またはメッシュ状導電層のメッシュの交点が直角にならず、それぞれの角が丸みを帯びてしまう（図１１参照）。
【０００９】
またこの場合、一定方向に進行する基材に対して印刷を行なうため、メッシュ状レジスト層またはメッシュ状導電層のメッシュの交点付近において、インキが基材の進行方向の後方側へ流動して濡れ広がる傾向がある。したがって、基材上に形成されるメッシュ状レジスト層またはメッシュ状導電層のメッシュの交点が基材の進行方向に対称な形状とならないという問題も存在する。
【００１０】
また、電子印刷法（静電印刷法）を用いて感光体ドラムにより基材上にメッシュ状レジスト層またはメッシュ状導電層を印刷形成する場合にも同様の問題が生じ得る。
【００１１】
したがって、このような印刷方法により電磁波シールド材を作製した場合、メッシュ状導電層のメッシュの交点が直角にならず、またメッシュの交点近傍の形状が基材の進行方向に対して非対称となるため、電磁波シールド材の品質が安定しないおそれがある。また、電磁波シールド材の透過率が低下するおそれもある。
【００１２】
本発明は、このような点を考慮してなされたものであり、電磁波シールド層を作製する際、基材上に形成されたメッシュ状レジスト層またはメッシュ状導電層の交差部分の形状を略直角かつ対称に形成することができるインキ版、感光体ドラム、表示装置用フィルタ、およびフィルタ付表示装置を提供することを目的とする。
【課題を解決するための手段】
【００１３】
本発明は、電磁波シールド層を作製するために、基材上にメッシュ状レジスト層またはメッシュ状導電層をインキを用いた印刷により形成するインキ版において、インキ版表面に、互いに交差するとともに、メッシュ状部を形成する多数の帯状体が設けられ、帯状体が交差する交差部分の形状は、対応するメッシュ状レジスト層またはメッシュ状導電層の交差部分の形状に比べて補正により小面積となっていることを特徴とするインキ版である。
【００１４】
本発明は、帯状体の線幅は、帯状体の交差部分に向けて徐々に細くなり、これにより帯状体の交差部分の形状は、対応するメッシュ状レジスト層またはメッシュ状導電層の交差部分の形状に比べて小面積となっていることを特徴とするインキ版である。
【００１５】
本発明は、帯状体の交差部分の形状は、基材の進行方向の後方側の方が前方側と比して大きな補正量となっていることを特徴とするインキ版である。
【００１６】
本発明は、インキ版は、グラビア印刷版からなることを特徴とするインキ版である。
【００１７】
本発明は、インキ版は、フレキソ印刷版からなることを特徴とするインキ版である。
【００１８】
本発明は、インキ版は、オフセット印刷版からなることを特徴とするインキ版である。
【００１９】
本発明は、インキ版は、スクリーン印刷版からなることを特徴とするインキ版である。
【００２０】
本発明は、透明基材と、透明基材上に設けられ、インキ版を用いて作製された電磁波シールド層と、を含むことを特徴とする表示装置用フィルタである。
【００２１】
本発明は、電磁波シールド層を作製するために、表面に帯電トナーを付着させ、この帯電トナーを基材上に転写することにより基材上にメッシュ状レジスト層またはメッシュ状導電層を形成する感光体ドラムにおいて、感光体ドラム表面に静電気像が形成され、この静電気像は互いに交差するとともに、メッシュ状部を形成する多数の帯状体からなり、帯状体が交差する交差部分の形状は、対応するメッシュ状レジスト層またはメッシュ状導電層の交差部分の形状に比べて補正により小面積となっていることを特徴とする感光体ドラムである。
【００２２】
本発明は、透明基材と、透明基材上に設けられ、感光体ドラムを用いて作製された電磁波シールド層と、を含むことを特徴とする表示装置用フィルタである。
【００２３】
本発明は、表示装置用フィルタを含むことを特徴とするフィルタ付表示装置である。
【発明の効果】
【００２４】
以上のように本発明によれば、インキ版表面の帯状体が交差する交差部分の形状は、対応するメッシュ状レジスト層またはメッシュ状導電層の交差部分の形状に比べて補正により小面積となっている。このため基材上にメッシュ状レジスト層またはメッシュ状導電層を印刷した際、その交差部分の形状を略直角に形成することができる。
【００２５】
また本発明によれば、帯状体の交差部分の形状は、基材の進行方向の後方側の方が前方側と比して大きな補正量となっているので、基材上にメッシュ状レジスト層またはメッシュ状導電層を印刷した際、その交差部分の形状を基材の進行方向に対して対称に形成することができる。
【発明を実施するための最良の形態】
【００２６】
第１の実施の形態
以下、図面を参照して本発明の第１の実施の形態について説明する。
図１は、本発明の第１の実施の形態によるインキ版を示す平面図であり、図２は、本発明の第１の実施の形態によるインキ版を示す斜視図であり、図３は、本発明の第１の実施の形態による表示装置用フィルタを示す斜視図である。また図４乃至図５は、本発明の第１の実施の形態によるインキ版による印刷方法を示す概略図であり、図６乃至図７は電磁波シールド層の製造工程を示す図であり、図１０は本発明の第１の実施の形態によるインキ版による印刷方法の変形例を示す概略図である。
【００２７】
インキ版の構成
まず、図１乃至図２により本実施の形態によるインキ版について説明する。
図１乃至図２に示すように、本実施の形態によるインキ版２０は、電磁波シールド層を作製するために、透明基材１１上にメッシュ状レジスト層１６またはメッシュ状導電層１７をインキを用いた印刷により形成するものである。このインキ版２０は、グラビア印刷版等の凹版からなっている。
【００２８】
図１に示すように、インキ版２０表面に、互いに直角に交差するとともに、メッシュ状部２１を形成する多数の帯状体２２Ａ、２２Ｂ、・・・が設けられている。このメッシュ状部２１は、透明基材１１の進行方向に対して４５°傾斜するように形成されている。
【００２９】
また帯状体２２Ａ、２２Ｂが交差する交差部分２３の形状は、対応するメッシュ状レジスト層１６またはメッシュ状導電層１７の交差部分１８の形状に比べて補正により小面積となっている。なお、交差部分１８の形状とは、透明基材１１上に形成することを意図するメッシュ状レジスト層１６またはメッシュ状導電層１７の交差部分１８の形状であり、この場合、交差部分１８の形状は直角に形成されている。
【００３０】
またメッシュ状部２１の帯状体２２Ａ、２２Ｂの各線幅ｗは、それぞれ帯状体２２Ａ、２２Ｂの交差部分２３に向けて徐々に細くなり（ｗｂ＜ｗａ）、これにより帯状体２２Ａ、２２Ｂの交差部分２３の形状は、対応するメッシュ状レジスト層１６またはメッシュ状導電層１７の交差部分１８の形状に比べて小面積となっている。
【００３１】
さらに帯状体２２Ａ、２２Ｂの交差部分２３の形状は、透明基材１１の進行方向の後方側の方が前方側と比して大きな補正量となっている。すなわち透明基材１１の進行方向の後方側の補正量ｄｂは、透明基材１１の進行方向の前方側の補正量ｄｆより大きくなっている（ｄｂ＞ｄｆ）。一方、交差部分２３の側部の補正量ｄｓは、透明基材１１の進行方向の後方側の補正量ｄｂより小さく、前方側の補正量ｄｆより大きくなっている（ｄｂ＞ｄｓ＞ｄｆ）。
【００３２】
なお、上述した補正量ｄｆ、ｄｂ、ｄｓは、印刷方法、使用するインキの粘度、透明基材１１の移動速度、帯状体２２Ａ、２２Ｂの線幅ｗ等の条件により大きく相違するため、これらの条件に基づき、実験的に定めることが好ましい。
【００３３】
図１において、インキ版２０表面に設けられた帯状体２２Ａ、２２Ｂ、・・・は互いに直角に交差しているが、帯状体２２Ａ、２２Ｂは、交差部分２３において９０°以外の角度で互いに交差していても良い。また３本以上の帯状体２２Ａ、２２Ｂ、・・・が一点で交差して交差部分２３を形成しても良い。
【００３４】
すなわち図１乃至図２において、メッシュ状部２１は多数の正方形によって構成されているが、メッシュ状部２１を構成する図形は正方形に限られず、正三角形、二等辺三角形、直角三角形などの三角形、長方形、ひし形、平行四辺形、台形などの四角形、（正）六角形、（正）八角形、（正）十二角形、（正）二十角形などの（正）ｎ角形、円、だ円、星型などを組み合わせた模様であっても良く、これら単位図形の単独の繰り返し、あるいは２種類以上を組み合わせて使用することも可能である。
【００３５】
表示装置用フィルタの構成
次に、図３を用いて本実施の形態によるインキ版により作製された表示装置用フィルタについて説明する。
【００３６】
図３に示すように、表示装置用フィルタ１０は、プラズマディスプレイパネル（ＰＤＰ）３０等の映像表示装置の前面に設置されるものである。
【００３７】
このような表示装置用フィルタ１０は、透明基材１１と、透明基材１１上に設けられた電磁波シールド層１２とを有している。このうち電磁波シールド層１２は、ＰＤＰ３０から放出され人体に有害な電磁波を効果的に遮蔽するものである。すなわち電磁波シールド層１２は、４５°傾斜したメッシュ構造からなるメッシュ状導電層１７を含み、これにより電磁波を効果的に遮蔽することができる。
【００３８】
また、表示装置用フィルタ１０をＰＤＰ３０の前面に固定することにより、表示装置用フィルタ１０とＰＤＰ３０とからなるフィルタ付ＰＤＰ（フィルタ付表示装置）が得られる。
【００３９】
ところで、透明基材１１としては、ＰＥＴ製フィルム、アクリル製フィルム等のプラスチックフィルム、あるいは強化ガラスまたは半強化ガラス等を用いることができる。
【００４０】
透明基材１１を構成するプラスチックフィルムは高透明性と耐熱性を有することが望ましく、高分子成形物および高分子成形物の積層体を用いることができる。透明性に関しては可視光線透過率が８０％以上であることが有利であって、耐熱性に関してはガラス転移温度が５０℃以上であることが望ましい。とりわけ、ポリエチレンテレフタレート（ＰＥＴ）、ポリサルフォン（ＰＳ）、ポリエーテルスルホン（ＰＥＳ）、ポリスチレン、ポリエチレンナフタレート、ポリアリルレート、ポリエーテルエーテルケトン（ＰＥＥＫ）、ポリカーボネート（ＰＣ）、ポリプロピレン（ＰＰ）、ポリイミド、トリアセチルセルロース（ＴＡＣ）、ポリメタクリル酸メチル（ＰＭＭＡ）等を挙げることができる。これらのうち、ポリエチレンテレフタレート（ＰＥＴ）製のフィルムを用いることが望ましい。
【００４１】
なお、表示装置用フィルタ１０は、空気と表示装置用フィルタ１０との間の屈折率差による反射やＰＤＰ３０表面の反射を防止するための反射防止層、ＰＤＰ３０からの映像のコントラストを高める光学機能層、ＰＤＰ３０からの近赤外線をカットする近赤外線カット層、ＰＤＰ３０からのネオン光をカットするネオンカット層、ＰＤＰ３０からの映像光の色調を調整する調色層等を更に有していても良い。
【００４２】
メッシュ状レジスト層またはメッシュ状導電層の印刷方法
次にインキ版２０を用いる印刷方法について、図４乃至図５により説明する。なお、図４乃至図５において、凹版印刷（グラビア印刷）の場合を例に説明する。
【００４３】
まずグラビア印刷用のシリンダ版を腐食方式または切削方式により製版加工し、上述したインキ版２０を作製する。
【００４４】
次に、図４に示すように、インキ版２０をグラビア印刷機４０内に設置する。
【００４５】
その後、このグラビア印刷機４０を運転することにより、透明基材１１上にメッシュ状レジスト層１６またはメッシュ状導電層１７が形成される。なお、透明基材１１上にメッシュ状レジスト層１６を形成する場合、メッシュ状レジスト層１６は、金属層（後述）を介して透明基材１１上に形成される。他方、透明基材１１上にメッシュ状導電層１７を形成する場合、メッシュ状導電層１７は、透明基材１１上に直接形成される。
【００４６】
この間、まずインキ版２０の一部がインキパン４１内でグラビアインキ４２に浸され、インキ版２０の版面の凹部（メッシュ状部２１）がグラビアインキ４２で満たされる。
【００４７】
なお、グラビアインキ４２はメッシュ状レジスト層１６またはメッシュ状導電層１７を形成するためのインキである。すなわち透明基材１１上にメッシュ状レジスト層１６を形成する場合、グラビアインキ４２は、例えばインクレジストからなる（後述）。他方、透明基材１１上にメッシュ状導電層１７を形成する場合、グラビアインキ４２は、例えば導電性インキからなる（後述）。
【００４８】
次に、版胴４５が回転し、これによりグラビアインキ４２はインキパン４１内から引き上げられる。次に、ドクターブレード４３によりインキ版２０表面が擦られ、インキ版２０の凹部（メッシュ状部２１）以外に付着したグラビアインキ４２が掻き取られる。
【００４９】
その後、インキ版２０と圧胴４４との間で透明基材１１が挟まれて押圧され、この際グラビアインキ４２は、インキ版２０の凹部（メッシュ状部２１）から透明基材１１上に転写される（図５）。
【００５０】
その後、透明基材１１上のグラビアインキ４２は乾燥されて硬化され、透明基材１１上にメッシュ状レジスト層１６またはメッシュ状導電層１７が形成される。なお、透明基材１１上にメッシュ状導電層１７を形成する場合、透明基材１１上のグラビアインキ４２を乾燥した後、更に焼成しても良い。また、グラビアインキ４２を硬化させる方法は、乾燥硬化の他、熱硬化、ＵＶ硬化、またはＥＢ硬化等の方法を用いても良い。
【００５１】
ところで、一般に透明基材１１上のグラビアインキ４２が乾燥されるまでの間、グラビアインキ４２が透明基材１１上で流れ、これによりグラビアインキ４２が乾燥した後、透明基材１１上のメッシュ状レジスト層１６またはメッシュ状導電層１７の交差部分１８が太くなることが生じる。
【００５２】
すなわち、グラビアインキ４２の濡れ性や、グラビアインキ４２の粘度が低いこと（通常１００ｃｐｓ以下）による流動性により、インキ版２０のメッシュ状部２１の形状がそのまま透明基材１１上に転写されず、メッシュ状レジスト層１６またはメッシュ状導電層１７の交差部分１８が直角になりにくい。また、この傾向は透明基材１１の進行方向後方側の方が前方側と比して顕著であり、交差部分１８の形状は透明基材１１の進行方向に対して非対称となりやすい。
【００５３】
これに対して本実施の形態によれば、上述したようにメッシュ状部２１の帯状体２２Ａ、２２Ｂが交差する交差部分２３の形状は、対応するメッシュ状レジスト層１６またはメッシュ状導電層１７の交差部分１８の形状に比べて補正により小面積となっている。また、帯状体２２Ａ、２２Ｂの交差部分２３の形状は、透明基材１１の進行方向の後方側の方が前方側と比して大きな補正量となっている。このため、インキ版２０を用いて透明基材１１上にメッシュ状レジスト層１６またはメッシュ状導電層１７を形成した場合、その交差部分１８の形状を略直角かつ対称に形成することができる。
【００５４】
電磁波シールド層の作製方法
次に図６および図７により、透明基材１１上に電磁波シールド層１２を形成する方法について述べる。
【００５５】
まず図６により、電磁波シールド層１２をエッチング法により製造する方法について述べる。ここで図６は電磁波シールド層１２をエッチング法により製造する方法を示す図である。
【００５６】
図６に示すように、まず透明基材１１上に金属箔をラミネートするか、あるいは透明基材１１上に金属蒸着を施して、透明基材１１上に金属層３１ａを設ける。
【００５７】
なお、金属層３１ａを構成する金属としては、銅、アルミニウム、ニッケル、鉄、金、銀、白金、タングステン、クロム、チタン、スズ、鉛、パラジウムなどが挙げられ、それらの１種または２種以上を組み合わせて含むステンレス、半田などの合金も使用することができる。このうち導電性、価格の点から銀、銅またはニッケルが適している。
【００５８】
次に透明基材１１の金属層３１ａ上に、メッシュ状レジスト層１６を設ける。この場合、図４乃至図５に示す凹版印刷による印刷方法を用いてメッシュ状レジスト層１６が形成される。すなわち、金属層３１ａ上にインキ版２０を用いて印刷によりメッシュ状レジスト層１６が形成される。
【００５９】
ところで、メッシュ状レジスト層１６を構成するインクレジストのバインダポリマーとしては、以下に示すものが挙げられる。天然ゴム、ポリイソプレン、ポリ−１,２−ブタジエン、ポリイソブテン、ポリブテン、ポリ−２−ヘプチル−１，３−ブタジエン、ポリ−２−ｔ−ブチル−１,３−ブタジエン、ポリ−１,３−ブタジエンなどの（ジ）エン類、ポリオキシエチレン、ポリオキシプロピレン、ポリビニルエチルエーテル、ポリビニルヘキシルエーテル、ポリビニルブチルエーテルなどのポリエーテル類、ポリビニルアセテート、ポリビニルプロピオネートなどのポリエステル類、ポリウレタン、エチルセルロース、ポリ塩化ビニル、ポリアクリロニトリル、ポリメタクリロニトリル、ポリスルホン、ポリスルフィド、ポリエチルアクリレート、ポリブチルアクリレート、ポリ−２−エチルヘキシルアクリレート、ポリ−ｔ−ブチルアクリレート、ポリ−３−エトキシプロピルアクリレート、ポリオキシカルボニルテトラメタクリレート、ポリメチルアクリレート、ポリイソプロピルメタクリレート、ポリドデシルメタクリレート、ポリテトラデシルメタクリレート、ポリ−ｎ−プロピルメタクリレート、ポリ−３，３，５−トリメチルシクロヘキシルメタクリレート、ポリエチルメタクリレート、ポリ−２−ニトロ−２−メチルプロピルメタクリレート、ポリ−１，１−ジエチルプロピルメタクリレート、ポリメチルメタクリレートなどのポリ（メタ）アクリル酸エステルを使用することができる。
【００６０】
さらにアクリル樹脂とアクリル以外との共重合可能なモノマーとしては、エポキシアクリレート、ウレタンアクリレート、ポリエーテルアクリレート、ポリエステルアクリレートなども使用できる。特に金属層３１ａへの濡れ性の点から、ウレタンアクリレート、エポキシアクリレート、ポリエーテルアクリレートが優れており、エポキシアクリレートとしては、１，６−ヘキサンジオールジグリシジルエーテル、ネオペンチルグリコールジグリシジルエーテル、アリルアルコールジグリシジルエーテル、レゾルシノールジグリシジルエーテル、アジピン酸ジグリシジルエステル、フタル酸ジグリシジルエステル、ポリエチレングリコールジグリシジルエーテル、トリメチロールプロパントリグリシジルエテル、グリセリントリグリシジルエーテル、ペンタエリスリトールテトラグリシジルエーテル、ソルビトールテトラグリシジルエーテル等の（メタ）アクリル酸付加物が挙げられる。エポキシアクリレートなどのように反応してまたは元々分子内に水酸基を有するポリマーは濡れ性や密着性向上に有効である。
【００６１】
これらの共重合樹脂は必要に応じて、２種以上併用することができる。これらの他にも、フェノール樹脂、メラミン樹脂、エポキシ樹脂、キシレン樹脂のような熱硬化性樹脂などが適用可能で、これらのポリマーは必要に応じて、２種以上共重合してもよいし、２種類以上をブレンドして使用することも可能である。
【００６２】
これらのバインダポリマーは通常、汎用溶剤に溶解させるか、または無溶剤のまま下記の添加剤とともに攪拌・混合して使用することができる。インクレジストには、バインダポリマーの他、必要に応じて、分散剤、チクソトロピー性付与剤、消泡剤、レベリング剤、希釈剤、可塑化剤、酸化防止剤、金属不活性化剤、カップリング剤、充填剤、導電性粒子などの添加剤を配合しても良い。そして、インクレジストには、紫外線（ＵＶ）または熱で硬化するインクを用いることが、レジストの取扱性、ケミカルエッチング時の耐薬品性、レジストを設けて使用する場合に有利であるので好ましい。
【００６３】
次にメッシュ状レジスト層１６をマスクとして、金属層３１ａをエッチング除去し、その後メッシュ状レジスト層１６を除去することにより、金属層３１ａからなる導電性メッシュフィルムを形成することができる。
【００６４】
次に金属層３１ａ上に黒化層３１ｂを形成することにより、金属層３１ａと黒化層３１ｂとからなる導電性メッシュフィルムの電磁波シールド層１２が得られる。この場合、黒化層３１ｂはニッケル、クロム、コバルト酸化銅等からなり、蒸着、スパッタリング、めっき、薬液浸漬等を用いて形成される。
【００６５】
なお、図６において電磁波シールド層１２の黒化層３１ｂは、反射防止機能を果たす。
【００６６】
次に図７により、導電性インクからなる電磁波シールド層１２の製造方法について説明する。
図７は導電性インク法により電磁波シールド層１２を製造する方法を示す図である。
【００６７】
図７に示すように、透明基材１１上にインキ版２０および導電性インク３４ａを用いてメッシュ状のパターンを印刷し、この導電性インク３４ａを乾燥または硬化させることにより、メッシュ状導電層１７からなる電磁波シールド層１２が得られる。この場合、図４乃至図５に示す凹版印刷による印刷方法を用いてメッシュ状導電層１７が形成される。
【００６８】
導電性インク３４ａとしては、一般に金属微粒子を硬化性有機バインダーと混合したもので、通常使用される金属（フィラー）としては、金、銀、銅、ニッケル、アルミニウム、その他および合金類あるいは異種金属混合系などがある。これらの導電性は、例えば塗料のフィラーとしては銀は１０−５Ω・ｃｍ以上、金は１０−６Ω・ｃｍ以上である。
【００６９】
また、硬化性有機バインダー類としてはアクリル樹脂系、ポリエステル樹脂系、塩化ビニル樹脂系、エポキシ樹脂系、フェノール樹脂系、ポリオレフィン系、メラミン樹脂系などが良く知られている。これらの金属フィラーを用いた導電性インクは一般市販品であり、かつ導電性が１０−３〜１０−６Ω・ｃｍを示すので、例えばＩＴＯ（Indium Tin Oxide）の導電性１０１〜１０３Ω・ｃｍに比して高く電磁波遮蔽材料として好適である。
【００７０】
なお図１乃至図５において、凹版印刷（グラビア印刷）の場合であってインキ版表面に多数の帯状体からなるメッシュ状部を設けた例について説明したが、フレキソ印刷等の凸版印刷による場合（図１０（ａ））、オフセット印刷等の平版印刷による場合（図１０（ｂ））、またはスクリーン印刷等の孔版印刷による場合（図１０（ｃ））においても、凹版印刷（グラビア印刷）の場合と同様の形状を有する多数の帯状体からなるメッシュ状部を、フレキソ印刷機、オフセット印刷機、またはスクリーン印刷機の各々のインキ版表面に設けることができる。ここで図１０（ａ）はフレキソ印刷方法を示す概略図であり、図１０（ｂ）はオフセット印刷方法を示す概略図であり、図１０（ｃ）はスクリーン印刷方法を示す概略図である。
【００７１】
図１０（ａ）において、フレキソ印刷機７０は、インキ版２０が設けられた版胴７１と、アニロックスロール７２と、圧胴７３とを有している。このうちインキ版２０は、フレキソ印刷版からなっている。
【００７２】
また図１０（ｂ）において、オフセット印刷機８０は、インキ版２０が設けられた版胴８１と、ブランケット胴８２と、圧胴８３とを有している。このうちインキ版２０は、オフセット印刷版からなっている。
【００７３】
また図１０（ｃ）において、スクリーン印刷機９０は、インキ版２０と、スクィージ９１と、版枠９２とを有している。このうちインキ版２０は、スクリーン印刷版からなっている。
【００７４】
第２の実施の形態
次に、本発明の第２の実施の形態について図８乃至図９を参照して説明する。
ここで、図８は、本発明の第２の実施の形態による感光体ドラムを示す平面図であり、図９は本発明の第２の実施の形態による感光体ドラムによる印刷方法を示す概略図である。
図８乃至図９に示す第２の実施の形態は、基材上にメッシュ状レジスト層またはメッシュ状導電層を形成する際の印刷方法が異なるものであり、他の構成や作用効果は上述した第１の実施の形態と略同一である。図８乃至図９において、図１乃至図７に示す第１の実施の形態と同一部分には同一の符号を付して詳細な説明は省略する。
【００７５】
感光体ドラムの構成
まず、図８乃至図９により本実施の形態による感光体ドラムについて説明する。
【００７６】
図８乃至図９に示すように、本実施の形態による感光体ドラム５０は、電磁波シールド層１２を作製するために、表面に帯電トナー６４を付着させ、この帯電トナー６４を透明基材１１上に転写することにより透明基材１１上にメッシュ状レジスト層１６またはメッシュ状導電層１７を形成するものである。
【００７７】
感光体ドラム５０の表面に静電気像が形成され、この静電気像は、互いに交差するとともに、メッシュ状部５１を形成する多数の帯状体５２Ａ、５２Ｂ、・・・からなっている。
【００７８】
帯状体５２Ａ、５２Ｂが交差する交差部分５３の形状は、対応するメッシュ状レジスト層１６またはメッシュ状導電層１７の交差部分１８の形状に比べて補正により小面積となっている。
【００７９】
またメッシュ状部５１の帯状体５２Ａ、５２Ｂの線幅ｗは、帯状体５２Ａ、５２Ｂの交差部分５３に向けて徐々に細くなり（ｗｂ＜ｗａ）、これにより帯状体５２Ａ、５２Ｂの交差部分５３の形状は、対応するメッシュ状レジスト層１６またはメッシュ状導電層１７の交差部分１８の形状に比べて小面積となっている。
【００８０】
さらに帯状体５２Ａ、５２Ｂの交差部分５３の形状は、透明基材１１の進行方向の後方側の方が前方側と比して大きな補正量となっている。すなわち透明基材１１の進行方向の後方側の補正量ｄｂは、透明基材１１の進行方向の前方側の補正量ｄｆより大きくなっている（ｄｂ＞ｄｆ）。一方、交差部分５３の側部の補正量ｄｓは、透明基材１１の進行方向の後方側の補正量ｄｂより小さく、前方側の補正量ｄｆより大きくなっている（ｄｂ＞ｄｓ＞ｄｆ）。
【００８１】
メッシュ状レジスト層またはメッシュ状導電層の印刷方法
次に図８に示す感光体ドラム５０を用いる印刷方法について、図９を用いて説明する。
【００８２】
図９において、まず上述した感光体ドラム５０を電子写真印刷機６０内に設置する。
【００８３】
次に、感光体ドラム５０が回転し、この際、現像器６１に収納された帯電トナー６４が、帯電電極６２および静電気像形成部６３を経由した感光体ドラム５０の静電気像に供給される。
【００８４】
次に、感光体ドラム５０の静電気像に付着した帯電トナー６４は、転写電極６５により透明基材１１上に転写され、フラッシュランプからなる定着器６６により定着され、このようにして透明基材１１上にメッシュ状レジスト層１６またはメッシュ状導電層１７が形成される。なお、透明基材１１上にメッシュ状レジスト層１６を形成する場合、メッシュ状レジスト層１６は、金属層（上述）を介して透明基材１１上に形成される。他方、透明基材１１上にメッシュ状導電層１７を形成する場合、メッシュ状導電層１７は、透明基材１１上に直接形成される。
【００８５】
その後、感光体ドラム５０は、除電部６７により除電される。
【００８６】
その後、上述したように、透明基材１１上に感光体ドラム５０を用いて形成されたメッシュ状レジスト層１６を用いて、エッチング法により電磁波シールド層１２を作製する（図６参照）。または、上述したように、透明基材１１上に感光体ドラム５０を用いて形成されたメッシュ状導電層１７を用いて、導電性インク法により電磁波シールド層１２を作製する（図７参照）。このようにして透明基材１１と、透明基材１１上に設けられた電磁波シールド層１２とを有する表示装置用フィルタ１０が作製される。さらに、表示装置用フィルタ１０をＰＤＰ３０の前面に固定することにより、表示装置用フィルタ１０とＰＤＰ３０とからなるフィルタ付ＰＤＰ（フィルタ付表示装置）が得られる。
【００８７】
ところで、一般に透明基材１１上の帯電トナー６４が定着器６６により定着されるまでの間、帯電トナー６４が透明基材１１上で移動し、これにより透明基材１１上のメッシュ状レジスト層１６またはメッシュ状導電層１７の交差部分１８が太くなる傾向がある。この傾向は透明基材１１の進行方向後方側の方が前方側と比して顕著であり、交差部分１８の形状は透明基材１１の進行方向に対して非対称となりやすい。
【００８８】
これに対して本実施の形態によれば、上述したようにメッシュ状部５１の帯状体５２Ａ、５２Ｂが交差する交差部分５３の形状は、対応するメッシュ状レジスト層１６またはメッシュ状導電層１７の交差部分１８の形状に比べて補正により小面積となっている。また、帯状体５２Ａ、５２Ｂの交差部分５３の形状は、透明基材１１の進行方向の後方側の方が前方側と比して大きな補正量となっている。このため、感光体ドラム５０を用いて透明基材１１上にメッシュ状レジスト層１６またはメッシュ状導電層１７を形成した場合、その交差部分１８の形状を略直角かつ対称に形成することができる。
【図面の簡単な説明】
【００８９】
【図１】本発明によるインキ版の第１の実施の形態を示す平面図。
【図２】本発明によるインキ版の第１の実施の形態を示す斜視図。
【図３】本発明による表示装置用フィルタの第１の実施の形態を示す斜視図。
【図４】本発明によるインキ版を用いた印刷方法を示す図。
【図５】本発明によるインキ版を用いた印刷方法を示す図。
【図６】電磁波シールド層をエッチング法により製造する工程を示す図。
【図７】電磁波シールド層を導電性インク法により製造する工程を示す図。
【図８】本発明による感光体ドラムの第２の実施の形態を示す平面図。
【図９】本発明による感光体ドラムを用いた印刷方法を示す図。
【図１０】本発明によるインキ版を用いた印刷方法の変形例を示す図。
【図１１】従来のメッシュ状レジスト層またはメッシュ状導電層のメッシュ交点を示す概略図。
【符号の説明】
【００９０】
１０  表示装置用フィルタ
１１  透明基材
１２  電磁波シールド層
１６  メッシュ状レジスト層
１７  メッシュ状導電層
１８  交差部分
２０  インキ版
２１  メッシュ状部
２２Ａ、２２Ｂ  帯状体
２３  交差部分
３０  ＰＤＰ
４０  グラビア印刷機
４１  インキパン
４２  グラビアインキ
４３  ドクターブレード
４４  圧胴
４５  版胴
５０  感光体ドラム
５１  メッシュ状部
５２Ａ、５２Ｂ  帯状体
５３  交差部分
６０  電子写真印刷機
６１  現像器
６２  帯電電極
６３  静電気像形成部
６４  帯電トナー
６５  転写電極
６６  定着器
６７  除電部
７０  フレキソ印刷機
８０  オフセット印刷機
９０  スクリーン印刷機
【図１】
2009049299.tif 000003
【図２】
2009049299.tif 000004
【図３】
2009049299.tif 000005
【図４】
2009049299.tif 000006
【図５】
2009049299.tif 000007
【図６】
2009049299.tif 000008
【図７】
2009049299.tif 000009
【図８】
2009049299.tif 000010
【図９】
2009049299.tif 000011
【図１０】
2009049299.tif 000012
【図１１】
2009049299.tif 000013